【手続補正書】
【提出日】令和1年12月19日(2019.12.19)
【手続補正１】
【補正対象書類名】特許請求の範囲
【補正対象項目名】全文
【補正方法】変更
【補正の内容】
【特許請求の範囲】
【請求項１】
オーディオ／ビデオ受信機デバイスによって実施される、デジタル・オーディオ／ビデオ・ストリームのビデオ・レンダリングに関連付けられたオーディオの状態の画像を出力する方法であって、
当該デジタル・オーディオ／ビデオ・ストリームが選択されると、当該選択されたデジタル・オーディオ／ビデオ・ストリームがオーディオ・データを含むかどうかを検出することと、
当該選択されたデジタル・オーディオ／ビデオ・ストリームがオーディオ・データを含み、オーディオ・データ・レンダリングの音量が周囲の音レベルよりも低い場合、当該選択されたデジタル・オーディオ／ビデオ・ストリーム内の当該オーディオ・データの存在を表す画像を生成することであって、当該画像が、当該周囲の音レベルよりも低い当該オーディオ・データ・レンダリングの音量を表す、生成することと、
当該オーディオ／ビデオ受信機デバイスの出力に当該画像を出力することと
を含む、方法。
【請求項２】
前記デジタル・オーディオ／ビデオ・ストリームが選択されて、前記オーディオ／ビデオ受信器デバイスによって当該デジタル・オーディオ／ビデオ・ストリームを受信してから、当該選択されたデジタル・オーディオ／ビデオ・ストリームがオーディオ・データを含むかどうかを当該検出するまでの間の遅延時間を取得することと、当該遅延時間を当該画像に追加することとをさらに含む、請求項１に記載の方法。
【請求項３】
当該デジタル・オーディオ／ビデオ・ストリーム内での当該オーディオ・データとビデオ・データの同期を検出することと、当該検出された同期を表す情報を当該画像に追加することとをさらに含む、請求項１または２に記載の方法。
【請求項４】
オーディオ復号が開始した場合、および現在復号されているオーディオ・フレームの再生タイム・スタンプが、当該オーディオ／ビデオ受信機デバイスのシステム・タイム・クロックの現在値を中心とする許容範囲値内にある場合に、当該同期が検出される、請求項３に記載の方法。
【請求項５】
当該画像は、当該オーディオ・データ・レンダリングがミュートされているとき、オーディオ・データ・レンダリングの音量レベルを表す情報を当該画像に追加して、当該オーディオ・データ・レンダリングがミュート解除されると、当該オーディオ・データがレンダリングされることになる音量レベルを、当該選択されたデジタル・オーディオ／ビデオ・ストリームの視聴者に通知することをさらに含む、請求項１〜４のいずれか一項に記載の方法。
【請求項６】
オーディオ・デスクランブルがアクセス制御によって許可されているかどうかを検出することと、オーディオ・デスクランブルがアクセス制御によって許可されていないとき、オーディオ・デスクランブルがアクセス制御によって許可されていないことを表す情報を当該画像に追加することとをさらに含む、請求項１〜５のいずれか一項に記載の方法。
【請求項７】
当該許容範囲値が、境界内にあるかどうかを取得することと、当該許容範囲が当該境界内にあるかどうかを表す情報を当該画像に追加することとをさらに含む、請求項４〜６のいずれか一項に記載の方法。
【請求項８】
デジタル・オーディオ／ビデオ・ストリームのビデオ・レンダリングに関連するオーディオの状態を提示する装置であって、
当該デジタル・オーディオ／ビデオ・ストリームを選択すると、当該選択されたデジタル・オーディオ／ビデオ・ストリーム内のオーディオ・データの存在を検出し、当該選択されたデジタル・オーディオ／ビデオ・ストリーム内にオーディオ・データが存在する場合に、オーディオ・データ・レンダリングの音量が周囲の音レベルよりも低いかどうかを検出するように構成された制御装置と、
オーディオ・データが、当該選択されたオーディオ／ビデオ・ストリーム内に存在し、当該制御装置によって検出された当該レベルよりも低い当該オーディオ・データ・レンダリングの音量を表すとき、当該選択されたデジタル・オーディオ／ビデオ・ストリーム内の当該オーディオ・データの存在を表す画像を生成するように構成された画像生成装置と、
当該選択されたデジタル・データ・ストリームを当該画像とともに出力するように構成されたビデオ出力と
を含む、装置。
【請求項９】
当該制御装置がさらに、当該選択されたデジタル・オーディオ／ビデオ・ストリームの受信と、当該選択されたデジタル・オーディオ／ビデオ・ストリーム内でのオーディオの存在の当該検出との間の遅延時間を取得するように構成され、当該画像生成装置がさらに、当該遅延時間を当該画像に追加するように構成される、請求項８に記載の装置。
【請求項１０】
当該制御装置がさらに、当該選択されたデジタル・オーディオ／ビデオ・ストリーム内での当該オーディオ・データとビデオ・データの同期を検出するように構成され、当該画像生成装置がさらに、検出された同期を表す情報を当該画像に追加するように構成される、請求項８または９に記載の装置。
【請求項１１】
オーディオ復号が開始した場合、および現在復号されているオーディオ・フレームの再生タイム・スタンプが、システム・タイム・クロックの現在値を中心とする許容範囲値内にある場合に、当該制御装置がさらに、当該同期を検出するように構成される、請求項１０に記載の装置。
【請求項１２】
当該画像生成装置はさらに、当該オーディオ・データ・レンダリングがミュートされているとき、オーディオ・データ・レンダリングの音量レベルを表す情報を当該画像に追加するように構成され、当該オーディオ・データ・レンダリングの音量レベルを表す当該情報は、当該オーディオ・データ・レンダリングがミュート解除されると、当該オーディオ・データがレンダリングされることになる音量レベルを、当該選択されたデジタル・オーディオ／ビデオ・ストリームの視聴者に通知する、請求項８〜１１のいずれか一項に記載の装置。
【請求項１３】
前記装置がモバイル・デバイス内に含まれる、請求項８〜１２のいずれか一項に記載の装置。
【請求項１４】
前記装置がセット・トップ・ボックス内に含まれる、請求項８〜１２のいずれか一項に記載の装置。
【請求項１５】
前記装置がデジタル・テレビ内に含まれる、請求項８〜１２のいずれか一項に記載の装置。
【手続補正２】
【補正対象書類名】明細書
【補正対象項目名】０００７
【補正方法】変更
【補正の内容】
【０００７】
この目標に向けて、本発明の原理は、オーディオ／ビデオ受信機装置によって実施される、デジタル・オーディオ／ビデオ・ストリームのビデオ・レンダリングに関連する、オーディオの状態を提示する方法を含む。この方法は、デジタル・オーディオ／ビデオ・ストリームが選択されると、このデジタル・オーディオ／ビデオ・ストリームがオーディオ・データを含むかどうか検出することを含む。デジタル・オーディオ／ビデオ・ストリームがオーディオ・データを含み、オーディオ・データ・レンダリングの音量が周囲の音レベルよりも低い場合、デジタル・オーディオ／ビデオ・ストリーム内のオーディオ・データの存在を表す画像が生成され、この画像は、周囲の音レベルよりも低いオーディオ・データ・レンダリングの音量をさらに表す。次いで、オーディオ／ビデオ受信機デバイスの出力部に、この画像が出力される。
【手続補正３】
【補正対象書類名】明細書
【補正対象項目名】０００８
【補正方法】変更
【補正の内容】
【０００８】
この方法の一実施形態によれば、この方法はさらに、オーディオ／ビデオ・ソースが選択されて、デジタル・オーディオ／ビデオ・ストリームを受信してから、デジタル・オーディオ／ビデオ・ストリームがオーディオ・データを含むかどうか検出するまでの間の遅延時間を取得することと、この遅延時間を画像に追加することとを含む。
【手続補正４】
【補正対象書類名】明細書
【補正対象項目名】０００９
【補正方法】変更
【補正の内容】
【０００９】
この方法の一実施形態によれば、この方法はさらに、デジタル・オーディオ／ビデオ・ストリーム内でのオーディオ・データとビデオ・データの同期を検出することと、この検出された同期を表す情報を画像に追加することとを含む。
【手続補正５】
【補正対象書類名】明細書
【補正対象項目名】００１０
【補正方法】変更
【補正の内容】
【００１０】
この方法の一実施形態によれば、オーディオ復号が開始した場合、および現在復号されているオーディオ・フレームの再生タイム・スタンプが、オーディオ／ビデオ受信機デバイスのシステム・タイム・クロックの現在値を中心とする許容範囲値内にある場合に、同期が検出される。
【手続補正６】
【補正対象書類名】明細書
【補正対象項目名】００１１
【補正方法】変更
【補正の内容】
【００１１】
この方法の一実施形態によれば、この方法はさらに、オーディオ・データ・レンダリングがミュートされているとき、オーディオ・データ・レンダリングの音量レベルを表す情報を画像に追加して、オーディオ・データ・レンダリングがミュート解除されると、オーディオ・データがレンダリングされることになる音量レベルを、デジタル・オーディオ／ビデオ・ストリームの視聴者に通知することを含む。
【手続補正７】
【補正対象書類名】明細書
【補正対象項目名】００１２
【補正方法】変更
【補正の内容】
【００１２】
この方法の一実施形態によれば、この方法はさらに、オーディオ・デスクランブルがアクセス制御によって許可されているかどうか検出することと、オーディオ・デスクランブルがアクセス制御によって許可されていないとき、オーディオ・デスクランブルがアクセス制御によって許可されていないことを表す情報を画像に追加することとを含む。
【手続補正８】
【補正対象書類名】明細書
【補正対象項目名】００１３
【補正方法】変更
【補正の内容】
【００１３】
この方法の一実施形態によれば、この方法はさらに、許容範囲値が境界内にあるかどうかを取得することと、この許容範囲が境界内にあるかどうかを表す情報を画像に追加することとを含む。
【手続補正９】
【補正対象書類名】明細書
【補正対象項目名】００１４
【補正方法】変更
【補正の内容】
【００１４】
本開示はまた、デジタル・オーディオ／ビデオ・ストリームのビデオ・レンダリングに関連するオーディオの状態の視覚的表示を提示する装置であって、デジタル・オーディオ／ビデオ・ストリームを選択すると、この選択されたデジタル・オーディオ／ビデオ・ストリーム内のオーディオ・データの存在を検出し、選択されたデジタル・オーディオ／ビデオ・ストリーム内にオーディオ・データが存在する場合に、オーディオ・データ・レンダリングの音量が周囲の音レベルよりも低いかどうか検出するように構成された制御装置を含み、選択されたオーディオ／ビデオ・ストリーム内にオーディオ・データが存在するとき、この制御装置に従って、選択されたデジタル・オーディオ／ビデオ・ストリーム内のオーディオ・データの存在を表す画像を生成するように構成された画像生成装置をさらに含み、この画像がさらに、オーディオ・データ・レンダリングの音量が周囲の音レベルよりも低いことを表す情報を含む、装置に関する。最後に、この装置は、選択されたデジタル・データ・ストリームを画像とともに出力するように構成されたビデオ出力を含む。
【手続補正１０】
【補正対象書類名】明細書
【補正対象項目名】００１５
【補正方法】変更
【補正の内容】
【００１５】
この装置の一実施形態によれば、制御装置はさらに、選択されたデジタル・オーディオ／ビデオ・ストリームの受信と、選択されたデジタル・オーディオ／ビデオ・ストリーム内でのオーディオの存在の検出との間の遅延時間を求めるように構成され、画像生成装置はさらに、この遅延時間を画像に追加するように構成される。
【手続補正１１】
【補正対象書類名】明細書
【補正対象項目名】００１６
【補正方法】変更
【補正の内容】
【００１６】
この装置の一実施形態によれば、制御装置はさらに、選択されたデジタル・オーディオ／ビデオ・ストリーム内でのオーディオ・データとビデオ・データの同期を検出するように構成され、画像生成装置はさらに、検出された同期を表す情報を画像へと生成するように構成される。
【手続補正１２】
【補正対象書類名】明細書
【補正対象項目名】００１７
【補正方法】変更
【補正の内容】
【００１７】
この装置の一実施形態によれば、オーディオ復号が開始した場合、および現在復号されているオーディオ・フレームの再生タイム・スタンプが、システム・タイム・クロックの現在値を中心とする許容範囲値内にある場合に、制御装置はさらに、同期を検出するように構成される。
【手続補正１３】
【補正対象書類名】明細書
【補正対象項目名】００１８
【補正方法】変更
【補正の内容】
【００１８】
この装置の一実施形態によれば、この画像生成装置はさらに、オーディオ・データ・レンダリングがミュートされているとき、オーディオ・データ・レンダリングの音量レベルを表す情報を画像に追加するように構成され、このオーディオ・データ・レンダリングの音量レベルを表す情報は、オーディオ・データ・レンダリングがミュート解除されると、オーディオ・データがレンダリングされることになる音量レベルを、選択されたデジタル・オーディオ／ビデオ・ストリームの視聴者に通知する。
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】変更
【補正の内容】
【００２１】
この装置の一実施形態によれば、この装置はモバイル・デバイス内に含まれる。モバイル・デバイスの例としては、携帯電話、スマートフォン、タブレット、ポータブル・コンピュータ、およびオーディオ／ビデオ受信が可能な任意の携帯デバイスがある。
【手続補正１７】
【補正対象書類名】明細書
【補正対象項目名】００２２
【補正方法】変更
【補正の内容】
【００２２】
この装置の一実施形態によれば、この装置はセット・トップ・ボックス内に含まれる。
【手続補正１８】
【補正対象書類名】明細書
【補正対象項目名】００２３
【補正方法】変更
【補正の内容】
【００２３】
この装置の一実施形態によれば、この装置はデジタル・テレビ内に含まれる。
【手続補正１９】
【補正対象書類名】明細書
【補正対象項目名】００３４
【補正方法】変更
【補正の内容】
【００３４】
図６は、本発明の原理を実施するオーディオ／ビデオ受信機装置の一実施形態である。図１の従来技術のオーディオ／ビデオ受信機について既に考察した要素に加えて、このオーディオ／ビデオ受信機装置６は、オーディオ存在監視装置６００を含む。オーディオ存在監視装置６００は、制御装置１２７から第１の入力信号６０１を受信する。この入力信号により、オーディオがミュートされているか、ミュート解除されているか、また音量がどのレベルに設定されているか、オーディオ存在監視装置６００が判定できるようになり、その結果、このオーディオ存在監視装置６００は、オーディオ・レベルが所定のレベル、たとえば聞き取れないレベルよりも低く設定されているかどうか判定することができる。オーディオ存在監視装置６００は、オーディオ同期比較器１１３から第２の入力信号６０２を受信する。これにより、オーディオ存在監視装置は、オーディオ・データが存在し、同期しているかどうか判定することができるようになる。オーディオ存在監視装置６００の出力は、オーディオ／ビデオ・ドライバ１２０に接続されて、本発明の原理による視覚的表示を生成する。一実施形態によれば、オーディオ存在監視装置６００は、制御装置１２７からさらなる入力を受信して、チャネル変更をこの制御装置に通知する。さらなる実施形態によれば、オーディオ存在監視装置６００は、クロック・ユニット（図示せず）、およびネットワーク・インターフェース１０１からさらなる入力を受信し、これにより、オーディオ存在監視装置６００は、デジタル・データ・ストリームの受信と、関連するオーディオの存在との間の遅延時間を決定できるようになる。さらなる実施形態によれば、オーディオ存在監視装置は、ＳＴＣ１１０からの入力をさらに受信し、現在復号済みのオーディオ・フレームの再生タイム・スタンプが、ＳＴＣの現在値を中心とする許容範囲値内にあるかどうか判定できるようにし、それにより、関連付けられたオーディオとビデオとの間の同期を検出できるようにする。許容範囲値は要求条件に依存し、たとえば、Ｄｏｌｂｙ（著作権）の認証においては、この許容範囲値は、−１０〜１５ｍｓの最大範囲に設定され、基本的なリップ同期においては、この許容範囲値は、最大−５０〜＋５０ｍｓの範囲に設定される。さらなる実施形態によれば、オーディオ遅延が、ある一定の境界内であるかどうか示すためにさらなる情報が表示される。たとえば、図２〜図４に示すアイコンのうちの１つでは、たとえば、Ｄｏｌｂｙ認証について考察した許容範囲内にあるオーディオ／ビデオ遅延（ＳＴＣ値と比較したオーディオＰＴＳ）について、高品質のオーディオ／ビデオ同期を示す情報がさらに表示される。これまでに考察した実施形態のいずれかと組み合わせたさらなる実施形態によれば、オーディオ存在監視装置６００は、アクセス制御機構を用いて保護されているデジタル・ストリームのデスクランブル／暗号解読用の制御アクセス（ＣＡ）モジュールからの入力をさらに受信する。これにより、この装置は、オーディオ・デスクランブルが許可されているかどうか検出し、オーディオをデスクランブルできるときに、ビデオに関連付けられたオーディオの存在を示すことができるようになる。あるいは、オーディオの存在を示すことはできるが、アクセス制御モジュールによってデスクランブルが許可されない場合には、デスクランブルが許可されないことを追加表示が示す。この追加表示は、施錠保護、またはロックされたアクセスを示唆する他の任意の記号の形をとることができる。
【手続補正２０】
【補正対象書類名】明細書
【補正対象項目名】００３６
【補正方法】変更
【補正の内容】
【００３６】
図７は、本発明の原理を実施するデバイス６の一実施形態である。このデバイスは、中央処理装置すなわちＣＰＵ７０、ネットワーク・インターフェース７４、入力インターフェース７５、クロック・ユニット７６、不揮発性メモリ７１、揮発性メモリ７２、およびオーディオ／ビデオ・ドライバ・ユニット７３を含む。これらの要素全てが、内部のデータ通信バス７７に接続されている。入力インターフェース７５は、チャネル変更コマンドなどの入力コマンドを受信する。ネットワーク・インターフェース７４は、デジタル・オーディオ／ビデオ・ストリームを受信する。中央処理装置７０は、受信したオーディオ／ビデオ・ストリーム内にオーディオ・データが存在するかどうか判定するように構成され、さらに、オーディオがミュートされているかどうか、かつ／またはある一定レベルよりも低いかどうか判定して、オーディオ／ビデオ・ドライバ７３を使用して適切な視覚的表示を生成するように構成される。任意選択的に、この適切な視覚的表示は、専用プロセッサを備えたグラフィックス・カードなど、特定のグラフィックス・レンダリング・デバイスによって生成される。本発明の原理による方法を実施するコンピュータ・プログラム命令は、たとえば不揮発性メモリ７１に記憶され、現在のボリューム・レベルまたはミュート／ミュート解除の設定など一時的な変数の値は、揮発性メモリ７２に記憶される。
【手続補正２１】
【補正対象書類名】明細書
【補正対象項目名】００３８
【補正方法】変更
【補正の内容】
【００３８】
当業者には理解されるように、図面内の要素によっては、全ての実施形態では使用されず、または必要でないこともある。動作によっては、並列に実行してもよい。図示および／または説明したもの以外の実施形態も実現可能である。
【手続補正２２】
【補正対象書類名】明細書
【補正対象項目名】００４１
【補正方法】変更
【補正の内容】
【００４１】
コンピュータ読取り可能な記憶媒体は、１つまたは複数のコンピュータ読取り可能な媒体に実装され、コンピュータによって実行可能であるコンピュータ読取り可能なプログラム・コードが実装された、コンピュータ読取り可能なプログラム製品の形をとることができる。本明細書で使用されるコンピュータ読取り可能な記憶媒体は、その内部に情報を記憶する固有の能力、ならびにそこから情報を検索する固有の能力を考慮すれば、持続的な記憶媒体とみなされる。コンピュータ読取り可能な記憶媒体は、たとえば、電子、磁気、光学、電磁気、赤外線、もしくは半導体のシステム、機器、もしくはデバイス、またはそれらの任意の適切な組合せとすることができるが、それだけには限定されない。本発明の原理を適用することのできるコンピュータ読取り可能な記憶媒体のより具体的な例を示しているが、当業者には容易に理解されるように、以下は単に例示的なものであり、網羅するものではないことを理解されたい。すなわち、ハード・ディスク、リードオンリ・メモリ（ＲＯＭ）、消去可能プログラマブル・リードオンリ・メモリ（ＥＰＲＯＭまたはフラッシュ・メモリ）、ポータブル・コンパクト・ディスク・リードオンリ・メモリ（ＣＤ−ＲＯＭ）、光記憶デバイス、磁気記憶デバイス、またはそれらの任意の適切な組合せである。
上記実施形態の一部又は全部は、以下の付記のようにも記載されうるが、以下には限られない。
（付記１）
オーディオ／ビデオ受信機デバイス（７）によって実施される、デジタル・オーディオ／ビデオ・ストリームのビデオ・レンダリングに関連付けられたオーディオの状態の視覚的表示を提示する方法であって、
前記デジタル・オーディオ／ビデオ・ストリームがオーディオ・データを含み（８０１）、オーディオ・データ・レンダリングがミュートされているか（８０２）、または前記デジタル・オーディオ／ビデオ・ストリームがオーディオ・データを含み、オーディオ・データ・レンダリングの音量が、決定済みのレベルよりも低い場合（８０２）に、前記デジタル・オーディオ／ビデオ・ストリームにおいて前記オーディオ・データの存在の視覚的表示を生成すること（８０３）を含み、前記デジタル・オーディオ／ビデオ・ストリームがオーディオ・データを含み、前記オーディオ・データ・レンダリングがミュートされているか、または前記デジタル・オーディオ／ビデオ・ストリームがオーディオ・データを含み、前記オーディオ・データ・レンダリングの音量が、前記決定済みのレベルよりも低いことを、前記視覚的表示が前記デジタル・オーディオ／ビデオ・ストリームの視聴者に通知する、方法。
（付記２）
前記デジタル・オーディオ／ビデオ・ストリームの受信と、前記デジタル・オーディオ／ビデオ・ストリーム内でのオーディオの前記存在との間の遅延時間を決定することと、前記視覚的表示を介して前記遅延時間を表示することとをさらに含む、付記１に記載の方法。
（付記３）
前記デジタル・オーディオ／ビデオ・ストリーム内での前記オーディオ・データとビデオ・データの同期を検出することと、前記視覚的表示を介して前記同期の検出を表示することとをさらに含む、付記１または２に記載の方法。
（付記４）
オーディオ復号が開始した場合、および現在復号されているオーディオ・フレームの再生タイム・スタンプが、前記オーディオ／ビデオ受信機デバイスのシステム・タイム・クロックの現在値を中心とする許容範囲値内にある場合に、前記同期が検出される、付記３に記載の方法。
（付記５）
前記視覚的表示はさらに、前記オーディオ・データ・レンダリングがミュートされているとき、前記視覚的表示を介してオーディオ・データ・レンダリングの音量レベルを表示することを含み、前記表示されたオーディオ・データ・レンダリングの音量レベルは、前記オーディオ・データ・レンダリングがミュート解除されると、前記オーディオ・データがレンダリングされることになる音量レベルを、前記デジタル・オーディオ／ビデオ・ストリームの視聴者に通知する、付記１〜４のいずれか一項に記載の方法。
（付記６）
オーディオ・デスクランブルがアクセス制御によって許可されているかどうか判定することと、オーディオ・デスクランブルがアクセス制御によって許可されていない場合に、前記視覚的表示を介して表示することとをさらに含む、付記１〜５のいずれか一項に記載の方法。
（付記７）
前記許容範囲値が、決定済みの境界内にあるかどうか判定することと、前記許容範囲値が、前記決定済みの境界内にあることを前記視覚的表示を介して表示することとをさらに含む、付記４〜６のいずれか一項に記載の方法。
（付記８）
デジタル・オーディオ／ビデオ・ストリームのビデオ・レンダリングに関連するオーディオの状態の視覚的表示を提示する装置であって、
オーディオ・データが前記デジタル・オーディオ／ビデオ・ストリーム内に存在するかどうか判定し、オーディオ・データ・レンダリングがミュートされているかどうか、またはオーディオ・データ・レンダリングの音量が決定済みレベルよりも低いかどうか判定するように構成された制御装置（７０）と、
前記制御装置によって前記判定されるのに従って、前記デジタル・データ・ストリーム内に前記オーディオ・データが存在するという視覚的表示を生成するように構成された視覚的表示生成装置（７３）とを含み、前記デジタル・オーディオ／ビデオ・ストリームがオーディオ・データを含み、前記オーディオ・データ・レンダリングがミュートされているか、または前記デジタル・オーディオ／ビデオ・ストリームがオーディオ・データを含み、前記オーディオ・データ・レンダリングの音量が、前記決定済みのレベルよりも低いことを、前記視覚的表示が前記デジタル・オーディオ／ビデオ・ストリームの視聴者に通知する、装置。
（付記９）
前記制御装置がさらに、前記デジタル・オーディオ／ビデオ・ストリームの受信と、前記デジタル・オーディオ／ビデオ・ストリーム内でのオーディオの前記存在との間の遅延時間を求めるように構成され、前記視覚的表示生成装置がさらに、前記遅延時間を表示するための視覚的表示を生成するように構成される、付記８に記載の装置。
（付記１０）
前記制御装置がさらに、前記デジタル・オーディオ／ビデオ・ストリーム内での前記オーディオ・データとビデオ・データの同期を検出するように構成され、前記視覚的表示生成装置がさらに、前記同期の前記検出を表示するための視覚的表示を生成するように構成される、付記８または９に記載の装置。
（付記１１）
オーディオ復号が開始した場合、および現在復号されているオーディオ・フレームの再生タイム・スタンプが、システム・タイム・クロックの現在値を中心とする許容範囲値内にある場合に、前記制御装置がさらに、前記同期を検出するように構成される、付記１０に記載の装置。
（付記１２）
前記視覚的表示生成装置はさらに、前記オーディオ・データ・レンダリングがミュートされているとき、前記視覚的表示を介してオーディオ・データ・レンダリングの音量レベルを表示するように構成され、前記表示されたオーディオ・データ・レンダリングの音量レベルは、前記オーディオ・データ・レンダリングがミュート解除されると、前記オーディオ・データがレンダリングされることになる音量レベルを、前記デジタル・オーディオ／ビデオ・ストリームの視聴者に通知する、付記８〜１１のいずれか一項に記載の装置。
（付記１３）
前記装置がモバイル・デバイス内に含まれる、付記８〜１２のいずれか一項に記載の装置。
（付記１４）
前記装置がセット・トップ・ボックス内に含まれる、付記８〜１２のいずれか一項に記載の装置。
（付記１５）
前記装置がデジタル・テレビ内に含まれる、付記８〜１２のいずれか一項に記載の装置。